(57)【要約】      （修正有）【課題】システム内の二酸化炭素濃度及び水濃度を正確かつ速やかに計測し、安定的に運転できる二酸化炭素分離回収システムを提供する。【解決手段】再生塔５内のガスを、再生塔内と同程度の圧力、再生塔内より高い温度に調整されたガス分析器６０の耐圧容器へ導き、耐圧容器へ赤外光を照射し、耐圧容器内を伝播した赤外光の減衰度合いから、耐圧容器内のガスの二酸化炭素濃度及び水濃度を迅速かつ正確に算出する。耐圧容器内のガスの二酸化炭素濃度及び水濃度は、再生塔内のガスの二酸化炭素濃度及び水濃度と等しい。【選択図】図１
2011177684.tif 000002
【特許請求の範囲】
【請求項１】
燃焼排ガスに含まれる二酸化炭素を吸収液に吸収させ、二酸化炭素を含む吸収液を排出する吸収塔と、
前記吸収塔から排出された吸収液が供給され、当該吸収液から水蒸気を含む二酸化炭素ガスを除去し、当該吸収液を再生して排出する再生塔と、
前記再生塔に連結され、前記再生塔内の吸収液を加熱するリボイラーと、
前記吸収塔と前記再生塔との間に設けられ、前記再生塔から排出されて前記吸収塔に供給される吸収液を熱源として、前記吸収塔から排出されて前記再生塔に供給される吸収液を加熱する再生熱交換器と、
前記吸収塔から排出された吸収液を前記再生塔へ送り込む第１ポンプと、
前記再生塔から排出され、前記再生熱交換器を通過した吸収液を貯留する緩衝タンクと、
前記緩衝タンクに貯留されている吸収液を前記吸収塔へ送り込む第２ポンプと、
前記再生塔内の温度以上の温度、前記再生塔内の圧力に対応した圧力を有し、前記再生塔内のガスが導かれる容器を含み、当該ガスに含まれる複数の成分の濃度を分析するガス分析器と、
前記ガス分析器により分析された濃度に基づいて、前記リボイラーへの蒸気流量及び／又は前記第１ポンプの流量を制御する制御部と、
を備える二酸化炭素分離回収システム。
【請求項２】
前記ガス分析器を複数備え、
前記複数のガス分析器はそれぞれ前記再生塔の異なる高さに連結されることを特徴とする請求項１に記載の二酸化炭素分離回収システム。
【請求項３】
前記容器に導かれるガスは、前記再生塔の塔頂部から排出されたガスであることを特徴とする請求項１に記載の二酸化炭素分離回収システム。
【請求項４】
燃焼排ガスに含まれる二酸化炭素を吸収液に吸収させ、二酸化炭素を含む吸収液を排出する吸収塔と、
前記吸収塔から排出された吸収液が供給され、当該吸収液から水蒸気を含む二酸化炭素ガスを除去し、当該吸収液を再生して排出する再生塔と、
前記再生塔に連結され、前記再生塔内の吸収液を加熱するリボイラーと、
前記吸収塔と前記再生塔との間に設けられ、前記再生塔から排出されて前記吸収塔に供給される吸収液を熱源として、前記吸収塔から排出されて前記再生塔に供給される吸収液を加熱する再生熱交換器と、
前記吸収塔から排出された吸収液を前記再生塔へ送り込む第１ポンプと、
前記再生塔から排出され、前記再生熱交換器を通過した吸収液を貯留する緩衝タンクと、
前記緩衝タンクに貯留されている吸収液を前記吸収塔へ送り込む第２ポンプと、
前記吸収塔内の温度以上の温度、前記吸収塔内の圧力に対応した圧力を有し、前記吸収塔内のガスが導かれる容器を含み、当該ガスに含まれる複数の成分の濃度を分析するガス分析器と、
前記ガス分析器により分析された濃度に基づいて、前記吸収塔への前記燃焼排ガス流量及び／又は前記第２ポンプの流量を制御する制御部と、
を備える二酸化炭素分離回収システム。
【請求項５】
前記ガス分析器を複数備え、
前記複数のガス分析器はそれぞれ前記吸収塔の異なる高さに連結されることを特徴とする請求項４に記載の二酸化炭素分離回収システム。
【請求項６】
前記容器に導かれるガスは、前記吸収塔の塔頂部から排出されたガスであることを特徴とする請求項４に記載の二酸化炭素分離回収システム。
【請求項７】
燃焼排ガスに含まれる二酸化炭素を吸収液に吸収させ、二酸化炭素を含む吸収液を排出する吸収塔と、
前記吸収塔から排出された吸収液が供給され、当該吸収液から水蒸気を含む二酸化炭素ガスを除去し、当該吸収液を再生して排出する再生塔と、
前記再生塔に連結され、前記再生塔内の吸収液を加熱するリボイラーと、
前記吸収塔と前記再生塔との間に設けられ、前記再生塔から排出されて前記吸収塔に供給される吸収液を熱源として、前記吸収塔から排出されて前記再生塔に供給される吸収液を加熱する再生熱交換器と、
前記吸収塔から排出された吸収液を前記再生塔へ送り込む第１ポンプと、
前記再生塔から排出され、前記再生熱交換器を通過した吸収液を貯留する緩衝タンクと、
前記緩衝タンクに貯留されている吸収液を前記吸収塔へ送り込む第２ポンプと、
前記再生塔内の温度以上の温度、前記再生塔内の圧力に対応した圧力を有し、前記再生塔内のガスが導かれる第１容器を含み、当該ガスに含まれる複数の成分の濃度を分析する第１ガス分析器と、
前記吸収塔内の温度以上の温度、前記吸収塔内の圧力に対応した圧力を有し、前記吸収塔内のガスが導かれる第２容器を含み、当該ガスに含まれる複数の成分の濃度を分析する第２ガス分析器と、
前記第１ガス分析器により分析された濃度に基づいて、前記リボイラーへの蒸気流量及び／又は前記第１ポンプの流量を制御し、前記第２ガス分析器により分析された濃度に基づいて、前記吸収塔への前記燃焼排ガス流量及び／又は前記第２ポンプの流量を制御する制御部と、
を備える二酸化炭素分離回収システム。
【請求項８】
前記ガス分析器は、前記容器内のガスの二酸化炭素濃度及び水濃度を分析することを特徴とする請求項１乃至７のいずれかに記載の二酸化炭素分離回収システム。
【請求項９】
前記ガス分析器は、
前記容器へ赤外光を放射する光源と、
前記容器内を伝播した赤外光の強度を検出する検出部と、
前記検出部により検出された強度に基づいて前記容器内のガスに含まれる成分の濃度を算出する算出部と、
を備えることを特徴とする請求項１乃至８のいずれかに記載の二酸化炭素分離回収システム。
【発明の詳細な説明】
【技術分野】
【０００１】
本発明は、二酸化炭素分離回収システムに関するものである。
【背景技術】
【０００２】
近年、大量の化石燃料を使用する火力発電所等を対象に、燃焼排ガスとアミン系吸収液を接触させ、燃焼排ガス中の二酸化炭素を分離回収する方法、及び回収された二酸化炭素を大気へ放出することなく貯蔵する方法が研究されている。
【０００３】
具体的には、燃焼排ガスに含まれる二酸化炭素をアミン系吸収液に吸収させる吸収塔と、二酸化炭素を吸収した吸収液（リッチ液）が吸収塔から供給され、リッチ液を加熱し、リッチ液から二酸化炭素ガスを放出させて吸収液を再生する再生塔と、を備えた二酸化炭素分離回収システムが知られている（例えば特許文献１参照）。
【０００４】
吸収塔には下部から燃焼排ガス、上部から吸収液が供給され、吸収塔内の充填層を上昇および流下する間に、互いに熱交換及び物質交換を行う。吸収塔内部の気相には、排ガス中の二酸化炭素、水、窒素、酸素、吸収液から蒸発した水及びアミンが主な成分として含まれる。物質交換の結果、吸収塔内部の上下方向において、各成分の気相中濃度は変化する。特に、二酸化炭素は、燃焼排ガスから吸収液に吸収されることにより、その気相中濃度が吸収塔下部から上部に向かうにしたがって低下する。吸収塔の塔頂における気相中の二酸化炭素濃度がどこまで低下しているかが、二酸化炭素分離回収システムの二酸化炭素吸収性能を示す。従って、吸収塔における気相中の二酸化炭素濃度の分析が重要である。
【０００５】
吸収塔の気相中には二酸化炭素のほかに、燃焼排ガスに含まれる水や、吸収液から蒸発した水が含まれる。水は二酸化炭素と同様に、吸収塔内で気相、液相間において物質移動を行う。従って、吸収塔内部の上下方向において、気相中の水の濃度は変化する。吸収塔における気相中の二酸化炭素濃度を正確に検出するためには、気相中の水の濃度を正確に把握しておく必要がある。しかし、サンプル点（気体を捕集した場所）と比較して、分析点（分析を行う場所）の温度や圧力が低い場合、水は容易に凝縮するため、サンプル点の気相中の水濃度を正確に分析することが困難であった。
【０００６】
再生塔には吸収塔で二酸化炭素を吸収した吸収液が上部から供給され、下部ではリボイラーにより吸収液が蒸発させられる。吸収液蒸気と吸収液とは、再生塔内の充填層を上昇および流下する間に、互いに熱交換及び物質交換を行う。再生塔内部の気相には、吸収液から分離、蒸発した二酸化炭素、水、アミンが主な成分として含まれる。物質交換の結果、再生塔内部の上下方向において、気相中の各成分の濃度は変化する。特に、二酸化炭素は、吸収液から分離、蒸発することにより、その気相中濃度が再生塔上部から下部に向かうにしたがって低下する。再生塔の塔底における気相中の二酸化炭素濃度がどこまで低下しているかが、二酸化炭素分離回収システムの吸収液再生性能を示す。従って、再生塔における気相中の二酸化炭素濃度の分析が重要である。
【０００７】
再生塔の気相中には二酸化炭素のほかに吸収液から蒸発した水が含まれる。水は二酸化炭素と同様に、再生塔内で気相、液相間において物質移動を行う。従って、再生塔内部の上下方向において、気相中の水の濃度は変化する。再生塔における気相中二酸化炭素濃度を正確に検出するためには、気相中の水の濃度を正確に把握しておく必要がある。しかし、上述したように、サンプル点と比較して、分析点の温度や圧力が低い場合、水は容易に凝縮するため、サンプル点の気相中の水濃度を正確に分析することが困難であった。
【先行技術文献】
【特許文献】
【０００８】
【特許文献１】特開２００５−２５４２１２号公報
【発明の概要】
【発明が解決しようとする課題】
【０００９】
本発明は、システム内の二酸化炭素濃度及び水濃度を正確かつ速やかに計測し、安定的に運転できる二酸化炭素分離回収システムを提供することを目的とする。
【課題を解決するための手段】
【００１０】
本発明の一態様による二酸化炭素分離回収システムは、燃焼排ガスに含まれる二酸化炭素を吸収液に吸収させ、二酸化炭素を含む吸収液を排出する吸収塔と、前記吸収塔から排出された吸収液が供給され、当該吸収液から水蒸気を含む二酸化炭素ガスを除去し、当該吸収液を再生して排出する再生塔と、前記再生塔に連結され、前記再生塔内の吸収液を加熱するリボイラーと、前記吸収塔と前記再生塔との間に設けられ、前記再生塔から排出されて前記吸収塔に供給される吸収液を熱源として、前記吸収塔から排出されて前記再生塔に供給される吸収液を加熱する再生熱交換器と、前記吸収塔から排出された吸収液を前記再生塔へ送り込む第１ポンプと、前記再生塔から排出され、前記再生熱交換器を通過した吸収液を貯留する緩衝タンクと、前記緩衝タンクに貯留されている吸収液を前記吸収塔へ送り込む第２ポンプと、前記再生塔内の温度以上の温度、前記再生塔内の圧力に対応した圧力を有し、前記再生塔内のガスが導かれる容器を含み、当該ガスに含まれる複数の成分の濃度を分析するガス分析器と、前記ガス分析器により分析された濃度に基づいて、前記リボイラーへの蒸気流量及び／又は前記第１ポンプの流量を制御する制御部と、を備えるものである。
【００１１】
本発明の一態様による二酸化炭素分離回収システムは、燃焼排ガスに含まれる二酸化炭素を吸収液に吸収させ、二酸化炭素を含む吸収液を排出する吸収塔と、前記吸収塔から排出された吸収液が供給され、当該吸収液から水蒸気を含む二酸化炭素ガスを除去し、当該吸収液を再生して排出する再生塔と、前記再生塔に連結され、前記再生塔内の吸収液を加熱するリボイラーと、前記吸収塔と前記再生塔との間に設けられ、前記再生塔から排出されて前記吸収塔に供給される吸収液を熱源として、前記吸収塔から排出されて前記再生塔に供給される吸収液を加熱する再生熱交換器と、前記吸収塔から排出された吸収液を前記再生塔へ送り込む第１ポンプと、前記再生塔から排出され、前記再生熱交換器を通過した吸収液を貯留する緩衝タンクと、前記緩衝タンクに貯留されている吸収液を前記吸収塔へ送り込む第２ポンプと、前記吸収塔内の温度以上の温度、前記吸収塔内の圧力に対応した圧力を有し、前記吸収塔内のガスが導かれる容器を含み、当該ガスに含まれる複数の成分の濃度を分析するガス分析器と、前記ガス分析器により分析された濃度に基づいて、前記吸収塔への前記燃焼排ガス流量及び／又は前記第２ポンプの流量を制御する制御部と、を備えるものである。
【００１２】
本発明の一態様による二酸化炭素分離回収システムは、燃焼排ガスに含まれる二酸化炭素を吸収液に吸収させ、二酸化炭素を含む吸収液を排出する吸収塔と、前記吸収塔から排出された吸収液が供給され、当該吸収液から水蒸気を含む二酸化炭素ガスを除去し、当該吸収液を再生して排出する再生塔と、前記再生塔に連結され、前記再生塔内の吸収液を加熱するリボイラーと、前記吸収塔と前記再生塔との間に設けられ、前記再生塔から排出されて前記吸収塔に供給される吸収液を熱源として、前記吸収塔から排出されて前記再生塔に供給される吸収液を加熱する再生熱交換器と、前記吸収塔から排出された吸収液を前記再生塔へ送り込む第１ポンプと、前記再生塔から排出され、前記再生熱交換器を通過した吸収液を貯留する緩衝タンクと、前記緩衝タンクに貯留されている吸収液を前記吸収塔へ送り込む第２ポンプと、前記再生塔内の温度以上の温度、前記再生塔内の圧力に対応した圧力を有し、前記再生塔内のガスが導かれる第１容器を含み、当該ガスに含まれる複数の成分の濃度を分析する第１ガス分析器と、前記吸収塔内の温度以上の温度、前記吸収塔内の圧力に対応した圧力を有し、前記吸収塔内のガスが導かれる第２容器を含み、当該ガスに含まれる複数の成分の濃度を分析する第２ガス分析器と、前記第１ガス分析器により分析された濃度に基づいて、前記リボイラーへの蒸気流量及び／又は前記第１ポンプの流量を制御し、前記第２ガス分析器により分析された濃度に基づいて、前記吸収塔への前記燃焼排ガス流量及び／又は前記第２ポンプの流量を制御する制御部と、を備えるものである。
【発明の効果】
【００１３】
本発明によれば、二酸化炭素分離回収システム内の二酸化炭素濃度及び水濃度を正確に計測し、安定的に運転できる。
【図面の簡単な説明】
【００１４】
【図１】本発明の第１の実施形態に係る二酸化炭素分離回収システムの概略構成図である。
【図２】再生塔へのガス分析器の連結の一例を示す図である。
【図３】ガス分析器の概略構成図である。
【図４】本発明の第２の実施形態に係る二酸化炭素分離回収システムの概略構成図である。
【図５】本発明の第３の実施形態に係る二酸化炭素分離回収システムの概略構成図である。
【図６】本発明の第４の実施形態に係る二酸化炭素分離回収システムの概略構成図である。
【発明を実施するための形態】
【００１５】
以下、本発明の実施の形態を図面に基づいて説明する。
【００１６】
（第１の実施形態）図１に本発明の第１の実施形態に係る二酸化炭素分離回収システムの概略構成を示す。ここで二酸化炭素分離回収システムは、二酸化炭素を吸収可能な吸収液を用いて、化石燃料の燃焼により生成された燃焼排ガスに含まれる二酸化炭素を回収するものである。
【００１７】
図１に示すように二酸化炭素分離回収システム１は、燃焼排ガス２ａに含まれる二酸化炭素を吸収液に吸収させる吸収塔３と、吸収塔３から二酸化炭素を吸収した吸収液（以下、リッチ液４ａと記す）が供給され、このリッチ液４ａを加熱し、吸収液から水蒸気を含む二酸化炭素ガスを放出させて、二酸化炭素ガスと水蒸気とを含む排出ガス２ｄを排出し、吸収液を再生する再生塔５とを備える。
【００１８】
例えば、火力発電所などの発電設備において生成された燃焼排ガス２ａが、排ガス導入ライン８を介して吸収塔３の下部に供給され、吸収塔３の頂部から二酸化炭素が取り除かれた燃焼排ガス２ｂが排出されるようになっている。排ガス導入ライン８に設けられたブロア９は、吸収塔３への燃焼排ガス２ａの供給量を調整することができる。
【００１９】
吸収塔３は、吸収液が二酸化炭素を吸収することにより生成されたリッチ液４ａを貯留する吸収塔スチル（タンク）３ａを有する。同様に、再生塔５は、リッチ液４ａが二酸化炭素ガスを放出することにより再生された吸収液（以下、リーン液４ｂと記す）を貯留する再生塔スチル（タンク）５ａを有する。
【００２０】
ここで、二酸化炭素を吸収可能な吸収液には、例えばアミン化合物を水に溶かしたアミン化合物水溶液が使用される。
【００２１】
図１に示すように、再生塔５にはリボイラー６が設けられている。リボイラー６は、発電設備から供給されるプラント蒸気等を熱源として、再生塔スチル５ａに貯留されていたリーン液４ｂの一部を加熱してその温度を上昇させて蒸気を生成し、再生塔５に供給する。リボイラー６への蒸気流量は蒸気バルブ６ａにより調節できる。なお、リボイラー６においてリーン液４ｂを加熱する際、リーン液４ｂから二酸化炭素ガスが放出され、吸収液蒸気とともに再生塔５に供給される。この吸収液蒸気は、充填層５ｂを介して再生塔５内を上昇し、リッチ液４ａを加熱する。これによりリッチ液４ａから二酸化炭素ガスが放出される。充填層５ｂは、例えば、多孔構造、ハニカム構造等を有するもので構成され、充填層５ｂを通過する吸収液を撹乱する作用を有するものであればよい。また、再生塔５には塔内の温度や圧力を計測するセンサ（図示せず）が設けられている。
【００２２】
再生塔５から排出された二酸化炭素ガスと吸収液蒸気とを含む排出ガス２ｄは、ガスライン３５を通り、ガス冷却器３１によって水分凝縮した後、気液分離器３２によって二酸化炭素ガスと吸収液成分を含む還流水とに気液分離される。気液分離器３２からの二酸化炭素ガス２ｅは回収二酸化炭素導出ライン３３を介して排出され、貯蔵設備（図示せず）で貯蔵される。また、気液分離器３２からの還流水は還流ライン３４を介して再生塔５に戻される。回収二酸化炭素導出ライン３３には、再生塔５内の圧力を調節できる保圧弁３６が設けられている。
【００２３】
吸収塔３と再生塔５との間に、再生塔５から吸収塔３に供給されるリーン液４ｂを熱源として、吸収塔３から再生塔５に供給されるリッチ液４ａを加熱する再生熱交換器７が設けられ、リーン液４ｂの熱を回収するように構成されている。ここで、上述したように、再生塔５においてリッチ液４ａから二酸化炭素ガスを放出させる際、リッチ液４ａはリボイラー６からの高温の蒸気を熱源として加熱される。従って、再生熱交換器７に供給されるリーン液４ｂの温度は比較的高く、このリーン液４ｂが熱源として用いられている。
【００２４】
吸収塔３と再生熱交換器７との間に、吸収塔タンク３ａの底部から再生熱交換器７にリッチ液４ａを供給するリッチ液ライン１１が連結されている。このリッチ液ライン１１に、吸収塔３からのリッチ液４ａを再生熱交換器７に送り込むリッチ液ポンプ１２が設けられている。
【００２５】
再生熱交換器７と再生塔５との間に、再生熱交換器７から再生塔５の上部にリッチ液４ａを供給するリッチ液ライン１３が連結されている。リッチ液ポンプ１２は、再生塔５へのリッチ液４ａ供給量を調節できる。
【００２６】
再生塔５と再生熱交換器７との間に、再生塔タンク５ａの底部から再生熱交換器７にリーン液４ｂを供給するリーン液ライン１４が連結されている。このリーン液ライン１４に、再生塔５からのリーン液４ｂを再生熱交換器７に送り込むリーン液ポンプ１５が設けられている。リーン液ポンプ１５は、再生塔タンク５ａの底部から引き抜くリーン液４ｂの流量を調節できる。
【００２７】
再生熱交換器７からのリーン液４ｂは、緩衝タンク１０に貯留される。ポンプ１６は緩衝タンク１０に貯留されているリーン液４ｂを吸収塔３の上部へ送り込む。ポンプ１６と吸収塔３との間には吸収液冷却器１７が設けられている。吸収液冷却器１７は、冷却水（冷却媒体）を冷却源として、吸収塔３に供給される吸収液を冷却する。
【００２８】
吸収塔３の上部に供給された吸収液は、吸収塔３内において上部から吸収塔タンク３ａに向けて下降する。一方、吸収塔３に供給された燃焼排ガス２ａは、吸収塔３内において下部から頂部に向けて上昇する。そのため、二酸化炭素を含む燃焼排ガス２ａと吸収液とが充填層３ｂにおいて向流接触（直接接触）し、吸収液が燃焼排ガス２ａ中の二酸化炭素を吸収し、リッチ液４ａが生成される。二酸化炭素が取り除かれた燃焼排ガス２ｂは、吸収塔３の頂部から排出され、リッチ液４ａは吸収塔３の吸収塔タンク３ａに貯留される。充填層３ｂは、例えば、多孔構造、ハニカム構造等を有するもので構成され、充填層３ｂを通過する吸収液を撹乱する作用を有するものであればよい。
【００２９】
吸収塔３頂部から排出された燃焼排ガス２ｂは、ガス冷却器２１によって冷却されて水分凝縮した後、気液分離器２２によって排ガスと吸収液成分を含む還流水とに気液分離される。気液分離器２２からの排ガス２ｃは排ガス導出ライン２３を介して系外に排出され、還流水は還流ライン２４を介して吸収塔３に戻される。また、吸収塔３には塔内の温度や圧力を計測するセンサ（図示せず）が設けられている。
【００３０】
再生塔５にはガスライン５１を介してガス分析器６０が連結されている。ガスライン５１は再生塔５内のガスをガス分析器６０へ導く。図１では再生塔５にガス分析器６０が１つ連結されているが、実際には、図２に示すように異なる高さに複数のガス分析器６０が連結される。再生塔５には複数の充填層５ｂが設けられており、ガスライン５１の一端は、充填層５ｂ同士の間や、充填層５ｂとデミスタ５ｃとの間に連結される。
【００３１】
図３にガス分析器６０の概略構成を示す。ガス分析器６０は、赤外光源６１、赤外光検出部６２、レンズ６３、反射鏡６４、支持部６５、チューブ６６、６７、排ガスライン６８、圧力ゲージ６９、保圧弁７０、ヒータ７１〜７４及び耐圧容器７５を備える。
【００３２】
再生塔５内のガスが、ガスライン５１及びチューブ６６を介して耐圧容器７５に送り込まれる。耐圧容器７５内のガスはチューブ６７及び排ガスライン６８を介して外部へ排出できる。排ガスライン６８には圧力ゲージ６９及び保圧弁７０が設けられている。圧力ゲージ６９は耐圧容器７５内の圧力を示す。耐圧容器７５内の圧力は保圧弁７０により調整できる。耐圧容器７５内の圧力は、再生塔５内の圧力と同程度に調整される。
【００３３】
ここで再生塔５内の圧力と同程度の圧力とは、再生塔５内の圧力より僅かに低い圧力とする。再生塔５内のガスを耐圧容器７５へ導くためである。耐圧容器７５内の圧力を、例えば、再生塔５内の圧力の８０〜９８％程度とする。
【００３４】
ヒータ７１及び７２は、耐圧容器７５を加熱する。ヒータ７３、７４はそれぞれチューブ６６、６７を加熱する。耐圧容器７５内の温度は、再生塔５内の温度以上に維持される。ヒータはガスライン５１や排ガスライン６８にも設けるようにしてもよい。ガスライン５１を加熱することで、ガスが再生塔５から耐圧容器７５に導かれる間に、温度が低下することを防止できる。また、排ガスライン６８を加熱することで、排出ガスが凝縮し保圧弁７０が詰まることを防止できる。
【００３５】
耐圧容器７５内の圧力を再生塔５内と同程度とし、温度を再生塔５内より高く保つことで、再生塔５内の気相中の水は凝縮することなく耐圧容器７５まで導かれる。従って、耐圧容器７５内のガスの気相中水濃度は、再生塔５内のガスライン５１連結箇所周辺におけるガスの気相中水濃度と等しくなる。
【００３６】
赤外光源６１は赤外光を放射する。赤外光源６１から放射された赤外光は、フィルタ（図示せず）により所望の波長（周波数）成分のみがレンズ６３を通過して耐圧容器７５内に入射する。赤外光は、フィルタ（バンドパスフィルタ）により、二酸化炭素又は水の吸収赤外波長に合わせたものとなる。二酸化炭素の吸収赤外波長は約４．２６μｍであり、水の吸収赤外波長は１．４〜２．０μｍである。
【００３７】
レンズ６３は耐圧容器７５の端部に設けられている。耐圧容器７５にはレンズ６３から一定距離離れた箇所に反射鏡６４が設けられている。反射鏡６４は支持部６５により支持されており、耐圧容器７５に入射した赤外光を反射する。反射鏡６４により反射された赤外光はレンズ６３を介して赤外光検出部６２に導かれる。赤外光検出部６２は、赤外光の強度を検出し、検出結果を算出部８０（図１参照）に通知する。赤外光検出部６２は例えばフォトディテクタである。
【００３８】
耐圧容器７５に二酸化炭素の吸収赤外波長に合わせた赤外光が入射された場合、赤外光検出部６２には耐圧容器７５内の二酸化炭素濃度に応じて強度が低下した赤外光が導かれる。また、耐圧容器７５に水の吸収赤外波長に合わせた赤外光が入射された場合、赤外光検出部６２には耐圧容器７５内の水濃度に応じて強度が低下した赤外光が導かれる。
【００３９】
算出部８０は、赤外光検出部６２から検出結果が通知され、赤外光の減衰の度合いに基づいて、耐圧容器７５内の二酸化炭素濃度及び水濃度を算出する。耐圧容器７５内の水濃度が再生塔５内のものと等しいため、耐圧容器７５内の二酸化炭素濃度は、再生塔５内の二酸化炭素濃度と等しくなる。このように、赤外光検出部６２の検出結果から、再生塔５内の二酸化炭素濃度や水濃度を実時間で、正確に取得できる。
【００４０】
制御部８１は、算出部８０によって算出された再生塔５内の二酸化炭素濃度及び水濃度に基づいて、リボイラー６の入熱量、リーン液ポンプ１５の流量、及リッチ液ポンプ１２の流量の少なくともいずれか１つを制御する。例えば、水濃度が急上昇した場合、制御部８１は蒸気バルブ６ａの開度を下げてリボイラー６への蒸気流量を下げ、リボイラー６への入熱量を下げる。また、水濃度が上昇した場合、制御部８１はリーン液ポンプ１５の流量を上げ、再生塔タンク５ａから引き抜かれるリーン液流量を上げることにより、再生塔タンク５ａ及びリボイラー６のリーン液レベルを下げ、再生塔タンク５ａでリーン液から発生する水蒸気量を下げる。また、二酸化炭素濃度が増加した場合、制御部８１はリッチ液ポンプ１２の流量を下げ、再生塔５へのリッチ液供給量を減らす。
【００４１】
再生塔５内気相の二酸化炭素濃度及び水濃度は、運転状態によって大きく変化する。これは、吸収液に含まれる二酸化炭素の量によって吸収液からの水の蒸発が大きく変化することが一因である。特に、二酸化炭素分離回収システムの立ち上げから定常運転への移行時には、リボイラー６によって加熱される再生塔５下部の吸収液は、ある温度、圧力の条件を境に著しい水の沸騰を生じることがある。このような著しい水の沸騰を生じると、再生塔充填層５ｂを上昇するガス流量が急増することにより、充填層５ｂの圧力損失が急増し、再生塔５内のガス通流が困難になり、安定的な運転が行えなくなるおそれがある。
【００４２】
本実施形態では、再生塔５内ガスの二酸化炭素濃度、水濃度の変化を、ガス分析器６０により実時間で、正確に計測できるため、吸収液からの急激な水の沸騰が生じそうな場合にも、その予兆をとらえることができる。制御部８１が、リボイラー６の入熱量を下げ、急激な水の沸騰を防止するため、二酸化炭素分離回収システムは安定的に運転を行うことができる。また、制御部８１はリーン液ポンプ１５の流量を上げ、再生塔タンク５ａから引き抜かれるリーン液流量を上げることにより、再生塔タンク５ａ及びリボイラー６のリーン液レベルを下げ、再生塔タンク５ａでリーン液から発生する水蒸気量を下げるため、二酸化炭素分離回収システムは安定的に運転を行うことができる。
【００４３】
再生塔５上部から供給されるリッチ液が再生塔５を流下する間に、リッチ液に含まれる二酸化炭素をどれだけ分離し、気相へ移動させられるかが二酸化炭素分離回収システムの性能に大きく影響する。本実施形態では、再生塔５の高さ方向に複数連結されたガス分析器６０により、再生塔５内におけるガスの二酸化炭素濃度、水濃度の変化を実時間で、正確に計測することができる。そのため、再生塔５を流下するリッチ液からの二酸化炭素の分離、気相への移動を最適化する運転条件を探索し、二酸化炭素分離回収システムを最も高い性能を引き出す条件のもとに運転することができる。
【００４４】
このように、本実施形態では、再生塔５内のガスのサンプル点（ガスライン５１連結箇所）と温度及び圧力が同程度である分析点（耐圧容器７５）において、ガスの二酸化炭素濃度及び水濃度を正確かつ迅速に測定できる。そして、測定した二酸化炭素濃度及び水濃度に基づいてリボイラー入熱量等の運転条件を制御することで、二酸化炭素分離回収システムを安定的に運転できる。
【００４５】
（第２の実施形態）図４に本発明の第２の実施形態に係る二酸化炭素分離回収システムの概略構成を示す。本実施形態は、図１に示す第１の実施形態と比較して、ガス分析器６０が再生塔５の塔頂から排出された排出ガス２ｄの分析を行う点が異なる。図４において、図１に示す第１の実施形態と同一部分には同一符号を付して説明を省略する。
【００４６】
ガスライン３５における二酸化炭素濃度は、その後の水分凝縮を経て最終的に回収される二酸化炭素濃度となるため、二酸化炭素分離回収システムの性能を示す要素となる。また、排出ガス２ｄに含まれる水分、アミン等は、その後の二酸化炭素の気液分離処理に影響する。従って、再生塔の塔頂に連結されるガスライン３５を流れる排出ガス２ｄの二酸化炭素濃度、水濃度を分析することは重要である。
【００４７】
ガスライン５１はガスライン３５に連結され、排出ガス２ｄの一部をガス分析器６０に供給する。ガス分析器６０及び算出部８０は、上記第１の実施形態で説明したのと同様の手法で、排ガス２ｄ中の二酸化炭素濃度及び水濃度を正確かつ迅速に測定する。なお、上記第１の実施形態と同様に、ガス分析器６０の耐圧容器７５内の温度は再生塔５内の温度以上とし、圧力は再生塔５内の圧力と同程度に調整する。
【００４８】
制御部８１は、算出部８０により算出された二酸化炭素濃度及び水濃度の変化に基づいて、回収される二酸化炭素濃度を最適化する運転条件を探索し、二酸化炭素分離回収システムを最も高い性能を引き出す条件のもとで運転させる。例えば、制御部８１は、排ガス２ｄ中の二酸化炭素濃度及び水濃度に基づいて、リボイラー６への蒸気流量、ポンプ１２、１６の流量、ブロア９の燃焼排ガス２ａ流量などを調節して、回収される二酸化炭素濃度を最適化する。
【００４９】
このように、本実施形態では、排出ガス２ｄのサンプル点と温度及び圧力が同程度である分析点（耐圧容器７５）で、ガスの二酸化炭素濃度及び水濃度を正確かつ迅速に測定できる。そして、測定した二酸化炭素濃度及び水濃度に基づいて運転条件を制御し、二酸化炭素分離回収システムを安定的に運転できる。
【００５０】
（第３の実施形態）図５に本発明の第３の実施形態に係る二酸化炭素分離回収システムの概略構成を示す。本実施形態は、図１に示す第１の実施形態と比較して、ガス分析器６０が吸収塔３内のガスの分析を行う点が異なる。図５において、図１に示す第１の実施形態と同一部分には同一符号を付して説明を省略する。
【００５１】
ガス分析器６０の排ガスライン６８には圧力調節弁７６及び真空ポンプ７７が設けられている。一般に、吸収塔３内の圧力はほぼ大気圧に等しい。真空ポンプ７７により、吸収塔３内のガスをガス分析器６０へ導入する。ガス分析器６０の耐圧容器７５内の圧力及び温度は、ヒータ７１〜７４及び圧力調節弁７６により、吸収塔３内と同程度の圧力、吸収塔３内より高い温度に保たれる。耐圧容器７５内の圧力は、例えば、吸収塔３内の圧力の８０〜９８％程度とする。
【００５２】
吸収塔３内の気相中の水は凝縮することなく耐圧容器７５まで導かれる。従って、耐圧容器７５内のガスの気相中水濃度は、吸収塔３内のガスライン５１連結箇所周辺におけるガスの気相中水濃度と等しくなる。
【００５３】
ガス分析器６０及び算出部８０は、上記第１の実施形態で説明したのと同様の手法で、吸収塔３内ガスの二酸化炭素濃度及び水濃度を求める。
【００５４】
図５では吸収塔３にガス分析器６０が１つ連結されているが、実際には、異なる高さに複数のガス分析器６０が連結される。吸収塔３には高さ方向に複数の充填層３ｂが設けられており、ガスライン５１の一端は、充填層３ｂ同士の間に連結される。
【００５５】
アミン系の吸収液の粘度は、含まれる二酸化炭素の濃度によって大きく変化し、二酸化炭素濃度が高いほど吸収液の粘度は高くなる。
【００５６】
吸収塔３内の液相および気相中の二酸化炭素濃度は、燃焼排ガス２ａの上昇とリーン液の流化に伴う物質交換により、吸収塔３の下部ほど高くなる。吸収液の粘度が上昇すると、吸収液の自然な流化が困難になり、安定的な運転が行えなくなるおそれがある。吸収液中の二酸化炭素濃度の変化を実時間で計測できれば、このような現象の予兆をとらえ、対策をとることができる。しかし、一般に、液中の二酸化炭素濃度は滴定法のような時間のかかる手法によらなければ計測できないため、対策をとることは困難であった。
【００５７】
しかし、本実施形態によるガス分析器６０によれば、吸収塔３内ガスの二酸化炭素濃度、水濃度の変化を実時間で、正確に計測できる。従って、吸収塔３内の物質移動の類推から吸収液中の二酸化炭素濃度を容易に把握することができ、吸収液の粘度が増加し、吸収液の自然な流化が困難になる現象の予兆をとらえることができる。これにより、例えば、制御部８１が、吸収液の流下流量（ポンプ１６の流量）、ブロア９の燃焼排ガス流量、ポンプ１２の流量などを制御することで、吸収液の自然な流下を保ち、二酸化炭素分離回収システムを安定的に運転できる。
【００５８】
また、吸収塔３の高さ方向にガス分析器６０を複数設けることで、吸収塔３内におけるガスの二酸化炭素濃度、水濃度の変化を実時間で、かつ正確に計測できる。計測結果を用いて、吸収塔３を上昇する燃焼排ガスからの二酸化炭素の液相への移動を最適化する運転条件を探索し、二酸化炭素分離回収システムを最も高い性能を引き出す条件のもとに運転することができる。
【００５９】
このように、本実施形態では、吸収塔３内のガスのサンプル点（ガスライン５１連結箇所）と温度及び圧力が同程度である分析点（耐圧容器７５）で、ガスの二酸化炭素濃度及び水濃度を正確かつ迅速に測定できる。そして、測定した二酸化炭素濃度及び水濃度に基づいてシステムの運転条件を制御することで、二酸化炭素分離回収システムを安定的に運転できる。
【００６０】
（第４の実施形態）図６に本発明の第４の実施形態に係る二酸化炭素分離回収システムの概略構成を示す。本実施形態は、図５に示す第３の実施形態と比較して、ガス分析器６０が吸収塔３の塔頂から排出された燃焼排ガス２ｂの分析を行う点が異なる。図６において、図５に示す第３の実施形態と同一部分には同一符号を付して説明を省略する。
【００６１】
燃焼排ガス２ｂの二酸化炭素濃度は、回収される二酸化炭素の残余の濃度となるため、二酸化炭素分離回収システムの性能を示す要素となる。
【００６２】
ガスライン５１は燃焼排ガス２ｂの一部をガス分析器６０に導く。ガス分析器６０及び算出部８０は、上記第１の実施形態で説明したのと同様の手法で、燃焼排ガス２ｂ中の二酸化炭素濃度及び水濃度を正確かつ迅速に測定する。なお、ガス分析器６０の耐圧容器７５内の温度は吸収塔３内の温度より高く、圧力は吸収塔３内と同程度に調整される。
【００６３】
制御部８１は、算出部８０により算出された二酸化炭素濃度及び水濃度の変化に基づいて、回収される二酸化炭素濃度を最適化する運転条件を探索し、二酸化炭素分離回収システムを最も高い性能を引き出す条件のもとで運転させる。例えば、制御部８１は、燃焼排ガス２ｂ中の二酸化炭素濃度及び水濃度に基づいて、リボイラー６への蒸気流量、ポンプ１２、１６の流量、吸収塔３への燃焼排ガス２ａ流量などを調節して、回収される二酸化炭素濃度を最適化する。
【００６４】
このように、本実施形態では、燃焼排ガス２ｂのサンプル点と温度及び圧力が同程度である分析点（耐圧容器７５）で、ガスの二酸化炭素濃度及び水濃度を正確かつ迅速に測定できる。そして、測定した二酸化炭素濃度及び水濃度に基づいて運転条件を制御し、二酸化炭素分離回収システムを安定的に運転できる。
【００６５】
上記実施形態では、ガス分析器６０は二酸化炭素濃度及び水濃度を分析対象としていたが、同様の計測手法で、その他の成分の濃度を求めることもできる。その場合、ガス分析器６０のフィルタにより、測定対象の成分に対応した吸収赤外波長の赤外光が耐圧容器７５に入射される。
【００６６】
上記実施形態のガス分析器６０において、赤外光検出部６２は赤外光の反射光の強度を検出していたが、耐圧容器７５を透過した透過光の強度を検出するようにしてもよい。
【００６７】
上記実施形態において、ガス分析器６０に、固体電解質型の電気化学式センサを用いてもよい。固体電解質には、例えばＬｉ＋イオン伝導体である炭酸リチウムを用いることができる。
【００６８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６９】
１  二酸化炭素分離回収システム
３  吸収塔
５  再生塔
６  リボイラー
７  再生熱交換器
６０  ガス分析器
８０  算出部
８１  制御部
【図１】
2011177684.tif 000003
【図２】
2011177684.tif 000004
【図３】
2011177684.tif 000005
【図４】
2011177684.tif 000006
【図５】
2011177684.tif 000007
【図６】
2011177684.tif 000008